(57)【特許請求の範囲】
【請求項１】
工具本体部と、該工具本体部の先端側に位置するとともに少なくとも１つの切刃が形成された切刃部と、を有した切削工具であって、
前記工具本体部は、軸心部分に貫通して設けられた第一の通路孔を有し、
前記切刃部は、前記第一の通路孔と連通するとともに前記切刃部の外周に開口して設けられた第二の通路孔を複数有しており、
前記切刃は、前記切刃部の軸線方向に沿って複数配置された複数の小切刃からなり、
前記複数の第二の通路孔のうち前記切刃部の先端側に位置する第二の通路孔は、前記複数の小切刃のうち前記切刃部の先端側に位置する先端側小切刃と対をなすように配置され、かつ、前記複数の第二の通路孔のうち前記切刃部の後端側に位置する第二の通路孔は、前記軸線方向に沿って隣り合う前記小切刃の間に位置するように配置され、
前記切刃部の先端側に位置する前記第二の通路孔の開口面積は、前記切刃部の後端側に位置する前記第二の通路孔の開口面積よりも小さいことを特徴とする切削工具。
【請求項２】
前記先端側小切刃と対をなすよう配置された前記第二の通路孔は、前記先端側小切刃の先端側に位置していることを特徴とする請求項１記載の切削工具。
【請求項３】
前記複数の第二の通路孔のうち前記切刃部の後端側に位置する第二の通路孔は、当該第二の通路孔から噴出されて前記切刃を冷却するための流体が、前記軸線方向に沿って隣り合う前記小切刃のいずれにも供給されるように配置されていることを特徴とする請求項１記載の切削工具。
【請求項４】
工具本体部と、該工具本体部の先端側に位置するとともに少なくとも１つの切刃が形成された切刃部と、を有した切削工具であって、
前記工具本体部は、軸心部分に貫通して設けられた第一の通路孔を有し、
前記切刃部は、前記第一の通路孔と連通するとともに前記切刃部の外周に開口して設けられた第二の通路孔を複数有しており、
前記切刃部の先端側に位置する前記第二の通路孔の開口面積は、前記切刃部の後端側に位置する前記第二の通路孔の開口面積よりも小さく、
前記切刃は、複数の小切刃からなるとともに、該複数の小切刃のうち前記切刃部の先端側に位置する先端側小切刃に対して前記第二の通路孔が複数配置され、
前記先端側小切刃に対して複数配置された前記第二の通路孔は、前記先端側小切刃に沿うよう前記切刃部の外周に各々開口していることを特徴とする切削工具。
【請求項５】
前記小切刃は、前記切刃部の軸線方向に沿って複数配置されているとともに、
前記複数の第二の通路孔のうち一の第二の通路孔は、前記切刃部の軸線方向に沿って複数配置された小切刃のうち隣り合う２つの小切刃に対応するよう前記切刃部の外周に開口していることを特徴とする請求項４記載の切削工具。
【請求項６】
前記複数の第二の通路孔の開口部分は、前記先端側小切刃に対して略平行に並んで配置されていることを特徴とする請求項１乃至５記載の切削工具。
【請求項７】
前記小切刃は、前記切刃部に着脱可能に取り付けられる切削インサートに形成されていることを特徴とする請求項１乃至６いずれか記載の切削工具。
【請求項８】
請求項１乃至７いずれか記載の切削工具を用いて被削材を切削する方法であって、
前記被削材に前記切削工具を相対的に近づける近接工程と、
前記被削材又は前記切削工具を回転させ、該切削工具を前記被削材の表面に接触させて前記被削材を切削する切削工程と、
前記被削材と前記切削工具とを相対的に遠ざける離間工程と、を備えることを特徴とする被削材の切削方法。
【発明の詳細な説明】
【技術分野】
【０００１】
本発明は、正面フライス、エンドミル、ドリル等の切削工具に関する。
【背景技術】
【０００２】
一般に、正面フライス、エンドミル、ドリル等の回転切削加工においては、切削部の冷却、潤滑、切屑除去等を目的として、切削部に切削油やエアー等の流体を供給している。
【０００３】
このような切削油やエアー等の流体の供給機構には、大きく分けて、外部機器に設けられた切削油供給装置のフレキシブルホースの先端を切削部位に向け、切削工具の外部から流体を供給するものと、外部機器の主軸から切削工具の内部を通して流体を供給するものが提案されている。
【０００４】
前者は、フレキシブルホースに何らかの外力が加わり、流体が噴出される方向がずれ、流体が必要な箇所に十分供給されない等の不具合があり、それに対して、切削工具の内部を通って流体が供給される後者は、このような不具合が軽減されるため、近年、多用されてきている。
【０００５】
後者の一例として、特許文献１には、フライスカッターやエンドミル等の回転工具において、刃具の回転速度・送り速度を変更し、切削油等の流体の噴出方向を変える必要が生じた場合、簡単な操作で短時間に切削油供給箇所を変更することができる工具が開示されている。具体的には、切削工具の内部に第一と第二の流体の通路が設けられ、そのうち切刃側に位置する第二の流体通路の切刃側出口部に第二の流体通路の流れの方向を変更できる部品を着脱可能に取り付けてなる切削工具が開示されている。このような構成により、前記部品をスパナや六角レンチを用いた簡単な操作で、短時間に流体を供給する狙いの箇所（流体の流れの方向）を変更することができるとされている。
【特許文献１】特開２００２−４６０１４号公報
【発明の開示】
【発明が解決しようとする課題】
【０００６】
しかしながら、加工形態や刃具の回転速度・送り速度などの加工条件の違いによって、切削油等の流体を噴出すべき方向（位置）が変わるだけでなく、加工形態や加工条件によって切削部で発生する切削熱の大きさが異なる。また、近年の切削加工の高効率化に伴い多用されている切刃長の長い切削工具においては、切刃の各部分によって発生する切削熱の大きさが大きく異なる。そのため、切削油等の流体を噴出する方向を変えて狙いの箇所を変えるだけでは、切刃温度が局所的に上昇してしまうことを防ぐことができなかった。その結果、切刃が急速に摩耗したり、突発的に欠損したりするなどの問題があった。
【０００７】
特に、工具本体の軸線方向に沿って切刃としてが複数の小切刃が設けられた切削工具においては、各切刃の軸線方向における位置によって発生する切削熱の大きさが異なる。具体的には、軸線方向の先端側に位置する小切刃は、複数の小切刃のうち被削材と最初に接触する小切刃であるため、非常に大きな切削熱が発生する。そのため、軸線方向の先端側に位置する小切刃において、急速に摩耗したり、突発的に欠損したりするという不具合が顕著なものであった。
【０００８】
本発明は、このような従来技術の課題を解決するためになされたものであり、外部機器の流体の噴出圧力を変更することなく、切刃の各部分において発生する切削熱に応じて、切刃各部分の近傍に供給される流体の噴出圧力を調整する構成を有することで、切刃近傍（切削部）の発熱によって生じる切刃の急速な摩耗や突発的な欠損を抑制して工具寿命が長い切削工具を提供することを目的とする。
【課題を解決するための手段】
【０００９】
前記課題を解決するため、本発明の一態様の切削工具は、工具本体部と、該工具本体部の先端側に位置するとともに少なくとも１つの切刃が形成された切刃部と、を有した切削工具であって、前記工具本体部は、軸心部分に貫通して設けられた第一の通路孔を有し、前記切刃部は、前記第一の通路孔と連通するとともに前記切刃部の外周に開口して設けられた第二の通路孔を複数有しており、前記切刃は、前記切刃部の軸線方向に沿って複数配置された複数の小切刃からなり、前記複数の第二の通路孔のうち前記切刃部の先端側に位置する第二の通路孔は、前記複数の小切刃のうち前記切刃部の先端側に位置する先端側小切刃と対をなすように配置され、かつ、前記複数の第二の通路孔のうち前記切刃部の後端側に位置する第二の通路孔は、前記軸線方向に沿って隣り合う前記小切刃の間に位置するように配置され、前記切刃部の先端側に位置する前記第二の通路孔の開口面積は、前記切刃部の後端側に位置する前記第二の通路孔の開口面積よりも小さいことを特徴とする。
【００１０】
このような構成により、被削材に先に接触することで大きな切削熱が発生する切刃部の先端側に位置する第二の通路孔からの噴出圧力をより大きくして切刃部の先端側における冷却効率を高めて、切刃の摩耗や突発的な欠損を抑制させることができる。
さらに、前記切刃は、複数の小切刃からなり、前記複数の第二の通路孔のうち前記切刃部の先端側に位置する第二の通路孔は、前記複数の小切刃のうち前記切刃部の先端側に位置する先端側小切刃と対をなすように配置されていることが、先端側小切刃の切刃温度の上昇を好適に抑制することができる。
また、前記複数の第二の通路孔のうち前記切刃部の後端側に位置する第二の通路孔は、
前記軸線方向に沿って隣り合う前記小切刃の間に位置するように配置されていることから、加工コストの低減を図りつつ、切削工具全体における冷却効率および切屑排出性の両性能を向上させることができる。
【００１１】
また、前記先端側小切刃と対をなすよう配置された前記第二の通路孔は、前記先端側小切刃の先端側に位置していることが、先端側小切刃のうち最も切刃温度が上昇しやすい先端側を好適に冷却して切刃の摩耗や欠損を抑制することができるため望ましい。
【００１２】
本発明の別の態様の切削工具は、工具本体部と、該工具本体部の先端側に位置するとともに少なくとも１つの切刃が形成された切刃部と、を有した切削工具であって、前記工具本体部は、軸心部分に貫通して設けられた第一の通路孔を有し、前記切刃部は、前記第一の通路孔と連通するとともに前記切刃部の外周に開口して設けられた第二の通路孔を複数有しており、前記切刃部の先端側に位置する前記第二の通路孔の開口面積は、前記切刃部の後端側に位置する前記第二の通路孔の開口面積よりも小さく、前記切刃は、複数の小切刃からなるとともに、該複数の小切刃のうち前記切刃部の先端側に位置する先端側小切刃に対して前記第二の通路孔が複数配置され、前記先端側小切刃に対して複数配置された前記第二の通路孔は、前記先端側小切刃に沿うよう前記切刃部の外周に各々開口していることを特徴とする。
【００１５】
また、前記小切刃は、前記切刃部に着脱可能に取り付けられる切削インサートに形成されていることが、切刃の摩耗や欠損が生じた小切刃のみを交換することで切削性能を回復することができるため望ましい。
【００１６】
前記課題を解決するため、本発明の被削材の切削方法は、上記切削工具を用いて被削材を切削する方法であって、前記被削材に前記切削工具を相対的に近づける近接工程と、前記被削材又は前記切削工具を回転させ、該切削工具を前記被削材の表面に接触させて前記被削材を切削する切削工程と、前記被削材と前記切削工具とを相対的に遠ざける離間工程と、を備えることを特徴とする。
【００１７】
このような構成により、冷却効率に優れた切削工具を用いて被削材を加工するため、被削材の加工表面の温度の上昇を抑制でき、仕上げ面精度の高い切削加工が実現できる。
【発明の効果】
【００１８】
本発明の切削工具によれば、切刃の各部分で発生する切削熱の大きさに応じて噴出圧力を異ならせて切刃の近傍に流体を供給することができ、冷却効率が高まり、切刃の摩耗や突発的な欠損を抑制することができる。
【発明を実施するための最良の形態】
【００１９】
以下、本発明の実施形態を添付図面により説明する。
【００２０】
図１乃至図４は、本発明の一実施形態を示すものである。図１は、本発明の第一の実施形態による切削工具１の全体斜視図であり、図２は、図１の切削工具１の（ａ）平面図、（ｂ）側面図である。そして、図３は、図１の要部拡大図である。また、図４は、本発明の第二の実施形態による切削工具１１における要部拡大図である。
【００２１】
図１乃至図３を用いて、本発明の第一の実施形態による切削工具１について、詳細に説明する。
【００２２】
図１乃至図３に示す本発明の第１の実施形態による切削工具１は、外部機器に把持される工具本体部２と、該工具本体部の先端側に位置するとともに少なくとも１つの切刃４が形成された切刃部３と、を有している。そして、工具本体部２は、切刃４の近傍に流体が供給されるよう軸心部分に貫通して設けられた第一の通路孔５を有している。そして、切刃部３は、切刃４の近傍に流体が供給されるよう第一の通路孔５と連通するとともに切刃部３の外周に開口して設けられた第二の通路孔６を複数有している。
【００２３】
第一の通路孔５は、流体が供給される外部機器のノズルと接続されるものであって、少なくとも工具本体部２を貫通するよう形成される。本実施形態においては、図１に示すように、切刃部３の後端側にも一部渡って形成されている。本実施形態においては、第二の通路孔６の断面積は、第一の通路孔５の断面積よりも小さくなるよう形成されている。
【００２４】
切刃４の近傍に供給される流体としては、冷却媒体として用いられるものであり、気体であっても液体であってもよい。例えば、空気、窒素などの気体や、水、油などの液体が挙げられる。特に、圧縮空気を用いることが望ましい
そして、切削工具１は、図３に示すように、複数の第二の通路孔６のうち切刃部３の先端側に位置する第二の通路孔６Ａの開口面積Ｓ６Ａは、切刃部３の後端側に位置する第二の通路孔６Ｂの開口面積Ｓ６Ｂよりも小さくなるよう構成されている。
【００２５】
このような構成により、被削材に対して最初に食いつく部分であって、切削時に発生する切削熱が大きい切刃部３の先端側に位置する切刃４（４Ａ）に、より大きな噴出圧力で流体が供給されるため、切刃部３の先端側に位置する切刃４Ａの切刃温度の上昇を低減できる。すなわち、切削工具１に複数の第二の通路孔６を設けて、切削時に切刃４の各部分で発生する切削熱に応じて、噴出圧力を異ならせて当該各々の切刃４部分に流体を供給することができ、切削工具１における冷却効率が高まる。そのため、従来は、切刃温度が上昇しやすい切刃部３の先端側に位置する切刃４の突発的な欠損や摩耗を、好適に抑制することができる。その結果、工具寿命が向上する。
【００２６】
特に、開口面積Ｓ６を異ならせるといった切削工具１の容易な加工によって、外部機器から供給される噴出圧力を調整することなく、切削工具１の切刃４の各部分で生じる切削熱に応じた噴出圧力で、切刃４の各部分を冷却することができる。すなわち、異なる径のドリルを用いて第二の通路孔６を加工することで上記構成にすることができるため、加工コストが低く抑えられる。そのため、低コストで冷却機能に優れた切削工具１を提供することができる。
【００２７】
なお、ここでいう第二の通路孔６の開口面積Ｓ６とは、第二の通路孔６が開口する面を上面視した際の、具体的には、第二の通路孔６が開口する面に対して略垂直な方向から見た際の、第二切の通路孔６が開口する面と第二の通路孔６の内壁面との交差稜線で囲まれた部分の面積をいう。ＳＥＭ等を用いて測定することができる。簡易的な測定方法としては、CCDカメラ等によって第二の通路孔６の開口部分を撮影し、画像解析することで測定することができる。
【００２８】
本実施形態の切削工具１においては、第二の通路孔６の開口形状として、円形状をなすものを例示したが、これに限らず、楕円形状や多角形状など、加工条件および切刃形状に応じて、適宜選択することができる。
【００２９】
さらに、切刃４は、複数の小切刃４１からなる。具体的には、図１および図２に示すように、切刃部３に複数の小切刃４１が軸線方向に沿って、螺旋状に配置されている。これによって、切削時の切削抵抗を低減して、加工効率の向上が図れる構成となっている。
【００３０】
そして、本実施形態の切削工具１は、この複数の小切は４１のうち切刃部３の先端側に位置する先端側小切刃４１Ａには、第二の通路孔が対をなすよう配置されている。切刃部３の最も先端側に位置する先端側小切刃４１Ａは、図１および図２に示すように、切削工具１に形成される切刃４の切刃長さが長い工具において、切削時に最も大きな負荷がかかる切刃部分であって、切削時に発生する切削熱も最も大きなものとなる。本実施形態の切削工具１では、このような先端側小切刃４１Ａと対をなすよう第二の通路孔６が配置されているため、先端側小切刃４１Ａの切刃温度の上昇を好適に抑制することができる。その結果、仕上げ面精度に大きな影響を及ぼす先端側小切刃４１Ａの突発的な欠損や摩耗を抑制でき、仕上げ面精度の高い切削加工を行うことができる。
【００３１】
さらに、先端側小切刃４１Ａに対をなすよう配置された第二の通路孔６は、先端側小切刃４１Ａの先端側に位置している。これにより、先端側小切刃４１の中でも切削時に最も大きな切削負荷がかかる先端側に的確に流体が噴出される。そのため、冷却効率が高まるので、先端側小切刃４１Ａの突発的な欠損および摩耗を抑制する効果をより一層高めることができる。
【００３２】
なお、本実施形態の切削工具１の第二の通路孔６は、図３に示すように、小切刃４１に対して切刃部３の内周側に配置されているが、これに限らず、小切刃４１に流体が供給されるように配置すればよい。例えば、小切刃４１が後述するようにインサート７に形成された切刃である場合、インサート７内部に孔を設けて各々の切刃位置に応じた大きさの開口面積を備えるよう形成されたものであってもよい。
【００３３】
また、小切刃４１は、切刃部３の軸線方向に沿って複数配置されている。そして、複数の第二の通路孔のうちの１つ（図３に第二の通路孔６Ｃで示す）が、軸線方向に沿って配置された複数の小切刃４１のうち隣り合う２つの小切刃４１に対応するよう切刃部３の外周に開口している。ここで、軸線方向に沿う複数の小切刃４１を、先端側から順に１段目小切刃（先端側小切刃４１）、２段目小切刃、３段目小切刃…とする。このとき、図３に示すように、隣り合う先端側小切刃４１Ａと２段目小切刃や、隣り合う２段目小切刃と３段目小切刃に、各々対応するよう第二の通路孔６Ｃが開口するよう配置されている。このような構成により、切削熱の冷却効果に加えて、生成された切屑をスムーズに排出させることができる。特に、多数の小切刃が設けられた切削工具１のように切削加工中に多量の切屑が生成されるような場合には、切削工具１の後端側に位置する２段目以降の小切刃部分に切屑が詰まりやすい傾向にあるが、上記第二の通路孔６Cを形成することで、多量の切屑をスムーズに排出させることができる。その結果、切屑が切削工具１に絡むことも抑制できるため、更なる加工精度の向上が図れる。
【００３４】
そして、流体を供給することにより、冷却効果、切屑排出性を向上させる効果の両方を兼ね備える点で、小切刃４１ごとに第二の通路孔６が形成されているのが望ましい。なお、切削工具１の加工が容易でタクトタイムの短縮を図り加工コストの低減を図る点で、発生する切削熱がより小さな切刃部３の後端側に位置する小切刃４１については、第二の通路孔６は、各小切刃４１毎に形成するのではなく、軸線方向に沿って隣り合う小切刃の間に位置するよう形成されることが望ましい。
【００３５】
したがって、切削工具１全体における冷却効率および切屑排出性の両性能を向上させる点では、先端側切刃４１Aには対になるよう第二の通路孔６が形成されるとともに、先端側小切刃４１Aよりも切刃部3の後端側に位置する小切刃４１については、隣り合う小切刃間に位置するよう形成されるものがより望ましい。
【００３６】
なお、ここでいう「第二の通路孔６が、複数の小切刃４１のうち隣り合う２つの小切刃４１に対応するよう切刃部３の外周に開口している。」とは、軸線方向において隣り合う２つの小切刃４１のいずれにも流体が供給されるように第二の通路孔６が配置されていることをいう。
【００３７】
さらに、本実施形態の切削工具１は、小切刃４１が、切刃部３に着脱可能に取り付けられる切削インサート（以下、インサート７と略す。）７に形成されている。このような構成により、複数の小切刃４１のうち、突発的な欠損や摩耗により切削性能が低下した小切刃４１のみの簡単な交換で、切削工具１の切削性能の回復が図れる。
【００３８】
なお、本実施形態においては、図１乃至図３に示すように、インサート７が、切刃部３に形成されたインサート装着部にねじ止めされて装着される。しかし、インサート７の切刃部３への装着方法としては、これに限らず、他のクランプ方式を用いたものであっても構わない。また、本実施形態においては、インサート７を直接切刃部３に形成されたインサート装着部に装着したものを例示したが、シート部材などを介してインサート装着部に装着するものであっても構わない。
【００３９】
また、図１乃至図３に示すように、インサート７が装着されるインサート装着部に沿った凹状のポケット８を形成してもよい。このような構成により切屑排出性を更に向上させることができる。なお、ポケット８を形成した場合には、切刃部の３の外周のうちポケットの壁面に第二の通路孔６が開口するよう形成することが、切屑排出性を向上させる点、および、冷却効果を向上させる点でより好ましい。
【００４０】
次に、図４を用いて、本発明の第二の実施形態による切削工具１１について、詳細に説明する。なお、図４において、図１〜図３と同様の構成部分については、同様の符号を付して、説明を省略する。
【００４１】
図４に示すように、第二の実施形態による切削工具１１は、第一の実施形態による切削工具１と同様、切刃４が、複数の小切刃４１からなる。そして、この小切刃４１は、切刃部３に着脱可能に取り付けられる切削インサート７に形成されている。
【００４２】
しかし、図４に示すように、第二の実施形態による切削工具１１は、第一の実施形態による切削工具１と異なり、複数の小切刃４１のうち切刃部３の先端側に位置する先端側小切刃４１に対して、第二の通路孔６が複数配置されている。具体的には、本実施形態においては、先端側小切刃４１Ａに対して４個の第二の通路孔６Ａ’が配置されている。これにより、小切刃４１の近傍に供給される流体が小切刃４１に好適に噴出されるため、冷却効率の向上が図れる。
【００４３】
さらに、この先端側小切刃４１に対して配置された複数の第二の通路孔６Ａは、図４に示すように、先端側小切刃４１Ａに沿うよう前記切刃部の外周に各々開口している。すなわち、インサートの各部分の中で、切削時に最も大きな切削熱が発生する小切刃４に供給される流体が噴出される第二の通路孔６Ａが配置されている。このような構成により、先端側小切刃４１Ａの切刃温度の上昇を好適に抑制することができる。
【００４４】
特に、先端側小切刃４１Ａに対して複数の第二の通路孔６の開口部分が略平行に並んで配置されていることが、上記効果を奏す点でより好ましい。
【００４５】
最後に、本発明の一実施形態による被削材の切削方法について、上記切削工具１を用いた場合を例示して説明する。
【００４６】
本実施形態による被削材の切削方法は、被削材に切削工具１を相対的に近づける近接工程と、被削材又は切削工具１を回転させ、該切削工具１を被削材の表面に接触させて被削材を切削する切削工程と、被削材と前記切削工具１とを相対的に遠ざける離間工程と、を備える切削工具１を回転させ、被削材と切削工具１とを近接させる工程と、切削工具１の切刃４を被削材の表面に接触させ、被削材を切削する工程と、被削材から切削工具１を離間させる工程と、を備えてなる。
【００４７】
このような構成により、冷却効率の高い切削工具１を用いて被削材を切削加工するため、加工面の温度上昇を抑制することができる。その結果、仕上げ面精度の高い切削加工を実現することができる。
【００４８】
なお、上述した実施形態においては、切刃４が複数の小切刃４１からなる一実施形態として、軸線方向に沿って、６段、径方向に沿って、４個の小切刃４１が配置されたものを例示したが、これに限らず、径方向には、１個の小切刃４１が配置されたものであってもよい。すなわち、軸線方向に沿って、少なくとも複数の小切刃４１が配置されていればよい。つまり、先端面からの位置が異なる小切刃４１を少なくとも２つ以上配置されていればよい。
【００４９】
さらに、上述した実施形態においては、エンドミルを例示したが、これに限らず、正面フライス等の他の転削工具にも好適に用いることができる。
【００５０】
また、上述した実施形態においては、第一の通路孔５および第二の通路孔６のいずれも、孔の軸線に沿って径が異ならない円柱状をなすものを例示したが、切刃部の先端側に向かうにつれて径が小さくなるようなテーパー形状をなすものであってもよい。特に、上記第二の通路孔６をテーパー形状とすることで、第二の通路孔５の断面積よりも大きな第一の通路孔５との接続部分にかかる負荷を低減することができる。そのため、第一の通路孔と第二の通路孔６との接続部分において、流体と通路孔の内壁との間で生じる抵抗が低減され工具寿命が高まる。なお、上記通路孔５および６を円柱状とすることでは、各通路孔の加工が容易となり加工コストの低減が図れるという効果が得られる。
【００５１】
さらに、上述した実施形態においては、切刃が着脱可能な切削インサートに形成された構成を例示したが、切削工具の切刃部にロウ付けされた切刃を有する構成をなすものであってもよい。
【００５２】
以上、本発明の実施形態を例示したが、本発明は実施の形態に限定されるものではなく、発明の目的を逸脱しない限り任意のものとすることができることはいうまでもない。
【図面の簡単な説明】
【００５３】
【図１】本発明の第一の実施形態による切削工具１の全体斜視図である。
【図２】図１の切削工具１の（ａ）平面図、（ｂ）側面図である。
【図３】図１の切削工具１の要部拡大図である。
【図４】本発明の第二の実施形態による切削工具１１の要部拡大図である。
【符号の説明】
【００５４】
１  第一の実施形態による切削工具
２  工具本体部
３  切刃部
４  切刃
４１  小切刃
４１Ａ  先端側小切刃
５  第一の通路孔
６  第二の通路孔
６Ａ  先端側に位置する第二の通路孔
６Ｂ  後端側に位置する第二の通路孔
７  切削インサート
８  ポケット
１１  第二の実施形態による切削工具
【図１】
0005072497.tif 000002
【図２】
0005072497.tif 000003
【図３】
0005072497.tif 000004
【図４】
0005072497.tif 000005